(57)【要約】【課題】より好適なＰｉｎＰ表示を行なうことができる表示制御装置を提供する。【解決手段】表示制御装置は、第１の範囲の画像領域のうち、所定の画像領域を重畳用画像として設定する第１の設定部と、前記第１の範囲より狭い第２の範囲の画像領域を表示用画像として設定する第２の設定部と、前記第２の設定部により設定された表示用画像に、前記第１の設定部により設定された重畳用画像を重畳させた合成画像を表示部に表示するよう制御する表示制御部と、を備える。【選択図】図１１
2014016507.tif 000002
【特許請求の範囲】
【請求項１】
第１の範囲の画像領域のうち、所定の画像領域を重畳用画像として設定する第１の設定部と、
前記第１の範囲より狭い第２の範囲の画像領域を表示用画像として設定する第２の設定部と、
前記第２の設定部により設定された表示用画像に、前記第１の設定部により設定された重畳用画像を重畳させた合成画像を表示部に表示するよう制御する表示制御部と、
を備えた表示制御装置。
【請求項２】
前記第１の設定部が重畳用画像として設定する所定の画像領域は、ユーザ指定の画像領域である、請求項１に記載の表示制御装置。
【発明の詳細な説明】
【技術分野】
【０００１】
本開示は表示制御装置に関する。
【背景技術】
【０００２】
ＰｉｎＰ機能を用いた表示制御装置が知られている。例えば、特許文献１は、それぞれ異なるテレビ放送局から同時に放送されている放送番組の画像と、他の放送番組の画像とを、一方を親画像、他方を子画像としてＰｉｎＰ表示するテレビ受像機を開示している。
【先行技術文献】
【特許文献】
【０００３】
【特許文献１】特開平９−１６３２６０号公報
【発明の概要】
【発明が解決しようとする課題】
【０００４】
本発明は、より好適なＰｉｎＰ表示を行なうことができる表示制御装置を提供する。
【課題を解決するための手段】
【０００５】
上記課題を解決するために、表示制御装置は、第１の範囲の画像領域のうち、所定の画像領域を重畳用画像として設定する第１の設定部と、前記第１の範囲より狭い第２の範囲の画像領域を表示用画像として設定する第２の設定部と、前記第２の設定部により設定された表示用画像に、前記第１の設定部により設定された重畳用画像を重畳させた合成画像を表示部に表示するよう制御する表示制御部と、を備える。
【発明の効果】
【０００６】
本発明の表示制御装置によれば、より好適なＰｉｎＰ表示を行なうことができる。
【図面の簡単な説明】
【０００７】
【図１】テレビ会議システム１００のシステム構成図
【図２】リモートカメラ２００の電気的構成図
【図３】表示装置３００の電気的構成図
【図４】赤外線リモコン４００の電気的構成図
【図５】リモートカメラ２００を操作する画面のイメージ図
【図６】ＰｉｎＰ表示選択釦５０５を操作したときの動作フローチャート
【図７】制御対象選択釦５０４を操作したときの動作フローチャート
【図８】制御対象選択５０４を操作したときの画面遷移イメージ図
【図９】ＨＤＭＩ出力時の出力アスペクトの切り替えの動作フローチャート
【図１０】出力アスペクト切り替え時の画面遷移イメージ図
【図１１】撮像画像領域、メイン画像領域、ＰｉｎＰ画像領域のイメージ図
【発明を実施するための形態】
【０００８】
〔実施の形態１〕
図１は、実施の形態１にかかるテレビ会議システムのシステム構成図である。図１に示すように、実施の形態１にかかるテレビ会議システム１００は、ＨＤＭＩケーブル１１０と、リモートカメラ２００と、リモートカメラ２００とＨＤＭＩケーブル１１０を介して接続された表示装置３００とを備える。また、テレビ会議システム１００において、赤外線リモコン４００の操作や、表示装置３００の操作により、表示装置３００に表示するＰｉｎＰ画像の表示を制御することができる。
【０００９】
以下、テレビ会議システム１００の構成および動作について順に説明する。
【００１０】
〔１−１．構成〕
図２は、リモートカメラ２００の電気的構成図である。リモートカメラ２００の構成について、図２を用いて説明する。
【００１１】
図２に示すように、リモートカメラ２００は、コントローラ２１０、レンズ２２０、ＣＭＯＳイメージセンサ２３０、画像処理部２４０、メモリ２５０、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）２６０、コントローラ２７０、赤外線受光部２８０を備える。
【００１２】
コントローラ２１０は、リモートカメラ２００全体の動作を統括制御する。コントローラ２１０は、プログラム等の情報を格納するＲＯＭ（不図示）、プログラム等の情報を処理するＣＰＵ（不図示）等により構成される。ＲＯＭは、レンズ制御や、デジタルズーム制御に関するプログラムの他、リモートカメラ２００全体の動作を統括制御するためのプログラムを格納している。コントローラ２１０は、垂直同期信号（ＶＤ）に基づいて、ＣＭＯＳイメージセンサ２３０や、画像処理部２４０などに制御信号を通知する。コントローラ２１０は、ハードワイヤードな電子回路で構成してもよいし、マイクロコンピュータなどで構成してもよい。また、後述する画像処理部２４０などと共に１つの集積回路として構成してもよい。なお、ＲＯＭはコントローラ２１０の内部構成である必要はなく、コントローラ２１０の外部に備わったものでもよい。
【００１３】
レンズ２２０は、フォーカスレンズ等の光学系を含む。図示していないが、ズームレンズ、絞り、メカニカルシャッタ、光学式手ぶれ補正レンズを含んでいてもよい。レンズ２２０を構成する各種レンズは何枚から構成されるものでも、何群から構成されるものでもよい。
【００１４】
ＣＭＯＳイメージセンサ２３０は、レンズ２２０を通して形成された被写体像を撮像して画像データを生成する。ＣＭＯＳイメージセンサ２３０は、所定のフレームレート（例えば、３０フレーム／秒）で新しいフレームの画像データを生成する。ＣＭＯＳイメージセンサ２３０の画像データ生成タイミングおよび電子シャッタ動作は、コントローラ２１０によって制御される。なお、ＣＭＯＳイメージセンサ２３０に代えて、ＣＣＤイメージセンサやＮＭＯＳイメージセンサなど、他の撮像素子を用いても良い。
【００１５】
画像処理部２４０は、ＣＭＯＳイメージセンサ２３０から出力された画像データに対して各種の画像処理を施す。各種処理としては、ガンマ補正、ホワイトバランス補正、ＹＣ変換処理、電子ズーム処理、圧縮処理、伸張処理等が挙げられるが、これらに限定されるものではない。画像処理部２４０は、ハードワイヤードな電子回路で構成してもよいし、これらの処理を行うためのプログラムを実行するマイクロコンピュータ等で構成してもよい。また、コントローラ２１０等と共に１つの集積回路として構成してもよい。
【００１６】
メモリ２５０は、コントローラ２１０や、画像処理部２４０のワークメモリとして機能する記憶手段である。メモリ２５０はＤＲＡＭ（Ｄｙｎａｍｉｃ  Ｒａｎｄｏｍ  Ａｃｃｅｓｓ  Ｍｅｍｏｒｙ）などで実現できる。メモリ２５０は、撮像画像領域２５０ａと、出力画像領域２５０ｂを有する。撮像画像領域２５０は、ＣＭＯＳイメージセンサ２３０が撮像した画角の画像を一次記憶させておくための記憶領域である。出力画像領域２５０ｂは、表示装置に出力する画角の画像を一次記憶させておくための記憶領域である。
【００１７】
ＨＤＭＩ２６０は、ＨＤＭＩ規格に準拠した通信インタフェースである。ＨＤＭＩ２６０は、画像・音声等の各種デジタル信号を双方向に伝送することができる。ＨＤＭＩ２６０は、ＨＤＭＩケーブル１１０を介して、他の電子機器のＨＤＭＩに電気的に接続される。すなわち、リモートカメラ２００は、ＨＤＭＩケーブル１１０を介して、他の電子機器（表示装置３００など）に電気的に接続される。これにより、リモートカメラ２００は、他の電子機器に対して画像・音声等の各種デジタル信号を送信したり、他の電子機器から制御コマンド等の各種デジタル信号を受信したりすることができる。なお、ＨＤＭＩ２６０に換えて、有線ＬＡＮ（Ｌｏｃａｌ  Ａｒｅａ  Ｎｅｔｗｏｒｋ）や無線ＬＡＮなど、他の接続手段を用いても良い。
【００１８】
赤外線受光部２７０は、赤外線リモコン４００からの赤外線信号を受信するためのインタフェースである。赤外線受光部２７０で受信した赤外線信号は、コントローラ２１０に通信される。コントローラ２１０は、通信された赤外線信号に基づいて各種の制御を実行する。赤外線受光部２７０は、リモートカメラ２００に必須の構成ではない。但し、赤外線受光部２７０を備えていることによって、赤外線リモコン４００から送信される赤外線信号を受信することができ、使用者に対して、複数の操作方法を提供することができる。
【００１９】
図１１は、撮像画像領域、メイン画像領域、ＰｉｎＰ画像領域のイメージ図である。撮像画像領域９００は、ＣＭＯＳイメージセンサ２３０の撮像によって得られる画像領域である。メイン画像領域９１０は、撮像画像領域９００の画像領域のうち、表示装置３００へのメイン画面として採用する画像領域である。ＰｉｎＰ画像領域９２０は、撮像画像領域９００の画像領域のうち、表示装置３００へのＰｉｎＰ画像として採用する画像領域である。図１１に、ＰｉｎＰ画像領域９２０として採用可能な画像領域のバリエーションを示している。ＰｉｎＰ画像領域９２０Ａは、メイン画像領域９１０の画像領域内に包含されるようＰｉｎＰ画像領域を採用した場合の例である。ＰｉｎＰ画像領域９２０Ｂは、メイン画像領域９１０の画像領域と一部重なるようＰｉｎＰ画像領域を採用した場合の例である。ＰｉｎＰ画像領域９２０Ｃは、メイン画像領域９１０の外側の画像領域にＰｉｎＰ画像領域を採用した場合の例である。このように、本テレビ会議システム１００では、撮像画像領域９００の画像領域内であれば、メイン画像領域９１０の外側であっても内側であっても、ＰｉｎＰ画像領域９２０の画像領域として採用することができる。これにより、テレビ会議システム１００の用途に応じて適切なＰｉｎＰ画像を表示させることができる。
【００２０】
図３は、表示装置３００の電気的構成図である。表示装置３００の構成について、図３を用いて説明する。
【００２１】
図３に示すように、表示装置３００は、コントローラ３１０、ＨＤＭＩ３２０、画像処理部３３０、メモリ３４０、液晶ディスプレイ３５０、操作部３６０を備える。
【００２２】
コントローラ３１０は、表示装置３００全体の動作を統括制御する。コントローラ３１０は、プログラム等の情報を格納するＲＯＭ（不図示）、プログラム等の情報を処理するＣＰＵ（不図示）等により構成される。ＲＯＭは、表示制御に関するプログラムの他、表示装置３００全体の動作を統括制御するためのプログラムを格納している。コントローラ３１０は、垂直同期信号（ＶＤ）に基づいて、画像処理部３３０や、液晶ディスプレイ３５０などに制御信号を通知する。コントローラ３１０は、ハードワイヤードな電子回路で構成してもよいし、マイクロコンピュータなどで構成してもよい。また、後述する画像処理部３３０などと共に１つの集積回路として構成してもよい。なお、ＲＯＭはコントローラ３１０の内部構成である必要はなく、コントローラ３１０の外部に備わったものでもよい。
【００２３】
ＨＤＭＩ３２０は、ＨＤＭＩ規格に準拠した通信インタフェースである。ＨＤＭＩ３２０は、画像・音声等の各種デジタル信号を双方向に伝送することができる。ＨＤＭＩ３２０は、ＨＤＭＩケーブル１１０を介して、他の電子機器のＨＤＭＩに電気的に接続される。すなわち、表示装置３００は、ＨＤＭＩケーブル１１０を介して、他の電子機器（リモートカメラ２００など）に電気的に接続される。これにより、表示装置３００は、他の電子機器から画像・音声等の各種デジタル信号を受信したり、他の電子機器に対して制御コマンド等の各種デジタル信号を送信したりすることができる。なお、ＨＤＭＩ３２０に換えて、有線ＬＡＮ（Ｌｏｃａｌ  Ａｒｅａ  Ｎｅｔｗｏｒｋ）や無線ＬＡＮなど、他の接続手段を用いても良い。
【００２４】
画像処理部３３０は、ＨＤＭＩ３２０を介して取得した画像データに対して各種の画像処理を施す。各種処理としては、ガンマ補正、ホワイトバランス補正、ＹＣ変換処理、電子ズーム処理、圧縮処理、伸張処理等が挙げられるが、これらに限定されるものではない。画像処理部３３０は、ハードワイヤードな電子回路で構成してもよいし、これらの処理を行うためのプログラムを実行するマイクロコンピュータ等で構成してもよい。また、コントローラ３１０等と共に１つの集積回路として構成してもよい。
【００２５】
メモリ３４０は、コントローラ３１０や、画像処理部３３０のワークメモリとして機能する記憶手段である。メモリ３４０はＤＲＡＭ（Ｄｙｎａｍｉｃ  Ｒａｎｄｏｍ  Ａｃｃｅｓｓ  Ｍｅｍｏｒｙ）などで実現できる。メモリ３４０は、出力画像領域３４０ａを有する。出力画像領域３４０ａは、液晶ディスプレイ３５０に出力する画像を一次記憶させておくための記憶領域である。
【００２６】
液晶ディスプレイ３５０は、画像処理部３３０にて処理されメモリ３４０内の出力画像領域３４０ａに記憶された画像を表示する。なお、液晶ディスプレイ３５０に換えて、有機ＥＬディスプレイなど、他の表示手段を用いてもよい。
【００２７】
操作部３６０は、表示装置３００に備わっているキーボードや、マウス等の総称であり、ユーザによる操作を受け付ける。操作部３６０は、ユーザによる操作を受け付けると、コントローラ３１０に種々の動作指示信号を通知する。
【００２８】
図４は、赤外線リモコン４００の電気的構成図である。赤外線リモコン４００の構成について、図４を用いて説明する。
【００２９】
図４に示すように、赤外線リモコン４００は、操作部４１０、コントローラ４２０、赤外線送信部４３０を備える。
【００３０】
操作部４１０は、赤外線リモコン４００に備わっている十字キーや、ナンバーキー等の総称であり、ユーザによる操作を受け付ける。操作部４１０は、ユーザによる操作を受け付けると、コントローラ４２０に種々の動作指示信号を通知する。
【００３１】
コントローラ４１０は、赤外線リモコン４００全体の動作を統括制御する。コントローラ４２０は、操作部４１０から通知された動作指示信号に基づいて、制御信号を生成する。コントローラ４２０は、生成した制御信号を赤外線送信部４３０に送信する。
【００３２】
赤外線送信部４３０は、リモートカメラ２００の赤外線受光部２７０に赤外線信号を送信するためのインタフェースである。赤外線送信部４３０は、コントローラ４２０から受信した制御信号に基づいて、赤外線信号を外部に発信する。
【００３３】
なお、赤外線リモコン４００は、テレビ会議システム１００に必須の構成ではない。但し、赤外線４００に対応していることにより、使用者に対して、複数の操作方法を提供することができる。
【００３４】
図５は、リモートカメラ２００を操作する画面のイメージ図である。図５を用いて、リモートカメラ２００を操作するための画面について説明する。
【００３５】
図５に示す表示画面５００は、リモートカメラ２００で作成され、ＨＤＭＩケーブル１１０を介して表示装置３００の液晶ディスプレイ３５０に出力される。尚、図５に示す表示画面は、リモートカメラ２００側ではなく、表示装置３００側で作成するようにしてもよい。表示画面５００は、カメラ画像表示領域５１０、ズーム指示釦５２０、方向指示釦５３０、制御対象選択釦５４０、ＰｉｎＰ表示選択釦５５０等を有している。表示画面５００に、ズーム指示釦５２０、方向指示釦５３０、制御対象選択釦５４０、ＰｉｎＰ表示選択釦５５０は必須の構成ではなく、赤外線リモコン４００等の他の操作手段を有している場合は、これらの構成はなくてもよい。
【００３６】
表示画面５００の各構成について説明する。カメラ画像表示領域５１０は、リモートカメラ２００から出力されたリアルタイム画像を表示する領域である。
【００３７】
ズーム指示釦５２０は、プラス方向のズーム指示釦とマイナス方向のズーム指示釦が設けられた押下式釦である。ユーザは、操作部３６０を操作して、ズーム指示釦５２０のいずれかの方向を押下することにより、リモートカメラ２００に対してテレ方向およびワイド方向へのズーム指示を行う。操作部３６０の操作によりズーム指示を受け付けると、コントローラ３１０は、ＨＤＭＩ３２０、ＨＤＭＩケーブル１１０を介して、リモートカメラ２００にズーム指示する。リモートカメラ２００のコントローラ２１０は、表示装置３００からのズーム指示に従ってズーム制御を行なう。そして、リモートカメラ２００は、ズーム指示内容が反映された結果の画像を、ＨＤＭＩ２６０、ＨＤＭＩケーブル１１０を介して表示装置３００に送信する。これにより、カメラ画像表示領域５１０には、ズーム指示内容が反映された結果の画像が表示される。
【００３８】
方向指示釦５３０は、上下左右方向の移動指示釦が設けられた押下式釦である。ユーザは、操作部３６０を操作して、方向指示釦５３０のいずれかの方向を押下することにより、リモートカメラ２００からの出力される画像に含まれる被写体の位置を変更することができる。
【００３９】
制御対象選択釦５４０は、ズーム指示釦５２０および方向指示釦５３０の押下により、メイン画面とＰｉｎＰ画面のいずれを制御対象とするかを選択できる押下式釦である。ユーザは、操作部３６０を操作して、制御対象選択釦５４０のうちのメイン画面釦かＰｉｎＰ画面釦のいずれかを押下することにより、リモートカメラ２００に対してズーム指示釦５２０または方向指示釦５３０を押下時に、メイン画像とＰｉｎＰ画像のどちらの制御を行うかを選択することができる。
【００４０】
ＰｉｎＰ表示選択釦５５０は、ＰｉｎＰ表示のＯＮ/ＯＦＦを切り替えるための釦である。ユーザは、操作部３６０を操作して、ＰｉｎＰ表示ＯＮを選択することで、メイン画面の右上にＰｉｎＰ画像を重畳した合成画像がリモートカメラ２００から出力され、カメラ画像表示領域５１０に出力された合成画像が表示される。ＰｉｎＰ表示ＯＦＦを選択した場合は、ＰｉｎＰ画像は重畳されず、メイン画面のみリモートカメラから出力され、カメラ画像表示領域５１０に出力画像が表示される。
【００４１】
〔１−２．動作〕
続いて、実施の形態１にかかるテレビ会議システム１００の動作について順次説明する。
【００４２】
図６は、ＰｉｎＰ表示選択釦５５０を操作したときの動作フローチャートである。図６を用いて、ＰｉｎＰ表示選択釦５５０を操作したときの動作を説明する。
【００４３】
表示装置３００のコントローラ３１０は、ＰｉｎＰ表示選択釦５５０のＯＮ/ＯＦＦを監視している（Ｓ６００）。ユーザがＰｉｎＰ表示選択釦５５０を操作して、ＰｉｎＰ表示選択釦５５０のうちＰｉｎＰ画面のＯＦＦを指示する釦が押下された場合（Ｓ６００におけるＮｏ）、表示装置３００のコントローラ３１０は、ＰｉｎＰ画像を出力せずメイン画像のみを出力するようにＨＤＭＩ３２０経由でリモートカメラ２００に指示を行う。リモートカメラ２００へのＰｉｎＰ表示可否の指示は、表示装置３００からＨＤＭＩ経由で行なってもよいし、赤外線リモコン４００を使用してリモートカメラ２００内部に付属している赤外線受光部２６０経由で行なってもよい。リモートカメラ２００のコントローラ２１０は、ＰｉｎＰ表示ＯＦＦの指示を受け取り、メモリ２６０の出力画像領域２５０ｂにメイン画像のみ書き込みを行ったのちに、出力画像領域２５０ｂに書き込んだメイン画像をＨＤＭＩ２６０を介して表示装置３００に出力する。表示装置３００のコントローラ３１０は、リモートカメラ２００からＨＤＭＩ３２０経由で入力された画像を、液晶ディスプレイ３５０の表示上のカメラ画像表示領域５１０に表示を行う（Ｓ６１０）。一方、ＰｉｎＰ表示選択釦５５０のうちＰｉｎＰ画面のＯＮを指示する釦が押下された場合（Ｓ６００におけるＹｅｓ）、表示装置３００のコントローラ３１０は、メイン画像にＰｉｎＰ画像を重畳した合成画像を出力するように、ＨＤＭＩ３２０経由でリモートカメラ２００に指示する。リモートカメラ２００のコントローラ２１０は、ＰｉｎＰ表示ＯＮの指示を受け取り、メモリ２６０のうち出力画像領域２６０ｂにメイン画像を書き込みを行ったのちに、メイン画像の画像右上にＰｉｎＰ画像を重畳させて書き込みを行って合成画像を生成した後に、出力画像領域２５０ｂに書き込んだ合成画像をＨＤＭＩ２６０を介して表示装置３００に出力する。尚、ＰｉｎＰ画像をメイン画像に重畳する位置は右上に限定されず、ユーザ操作による設定により画面の右上、左上、左下、右下等の任意の位置を選択できるようにしてもよい。表示装置３００のコントローラ３１０は、リモートカメラ２００からＨＤＭＩ３２０経由で入力した合成画像を、液晶ディスプレイ３５０の表示上のカメラ画像表示領域５１０に表示を行う（Ｓ６２０）。
【００４４】
図７は、制御対象選択釦５４０を操作したときの動作フローチャートである。図７を用いて、制御対象選択釦５４０を操作したときの動作を説明する。
【００４５】
表示装置３００のコントローラ３１０は、制御対象選択釦５４０がメイン画像釦/ＰｉｎＰ画像釦のいずれが選択されたかを監視している（Ｓ７００）。ユーザが制御対象選択釦５４０のうちメイン画像釦を押下したの場合は（Ｓ７００におけるＮｏ）、表示装置３００のコントローラ３１０は、制御対象をメイン画像とする旨の指示を、ＨＤＭＩ３０２経由でリモートカメラ２００に通知する。リモートカメラ２００のコントローラ２１０は、制御対象をメイン画像で行う旨の指示を受け取る。そして、この状態でズーム指示釦５２０を操作指示内容が通知された場合、コントローラ２１０は、画像処理部２４０に対して、メイン画像のみをズーム処理するように指示する。尚、ズーム指示があった場合のリモートカメラ２００のコントローラ２１０の処理内容は、画像処理部２４０により電子ズーム処理に限定されず、レンズ２３０により光学的にズーム処理してもよい。リモートカメラ２００の画像処理部２４０では、垂直同期信号（ＶＤ）に基づいて、メイン画像とＰｉｎＰ画像に対して交互に処理を行っており、メイン画像を画像処理しているタイミングでデジタルズーム処理を行いメモリ２０６に画像を書き込み、ＨＤＭＩ２６０から出力を行う。方向指示釦５３０を操作された場合は、画像処理部２４０に対して、メイン画像のみに画像が示す被写体の位置を変更するように指示する。画像処理部２４０では、メイン画像の画像処理をしているタイミングでＣＭＯＳイメージセンサ２３０から出力された撮像画像（メモリ２５０の撮像画像領域２５０ａに書き込まれた画像）から、メイン画像とする範囲の画像の読み出し位置の変更を行いメモリ２５０の出力画像領域２５０ｂに画像を書き込み、ＨＤＭＩ２６０から出力を行う。表示装置３００のコントローラ３１０は、リモートカメラ２００からＨＤＭＩ３２０経由で入力された画像をカメラ画像表示領域５１０に表示を行う。
【００４６】
ユーザが制御対象選択釦５４０のうちＰｉｎＰ画像釦を押下した場合は（Ｓ７００におけるＹｅｓ）、表示装置３００のコントローラ３１０は、撮像画像のうちメイン画像が示す画像範囲すなわち、ズームポジションをワイド端へ移動するようにＨＤＭＩ３２０経由でリモートカメラ２０に指示を行う（Ｓ７１０）。ＰｉｎＰ画像が制御対象になっているとき、ユーザは、ズーム指示釦５２０や方向指示釦５３０を操作することで、撮像画像のうちいずれの画像領域をＰｉｎＰ画像とするかを設定できる。ＰｉｎＰ画像が制御対象になったときに、撮像画像のうちメイン画像が示す画像範囲（ズームポジション）をワイド端へ移動することにより、撮像画像のうちＰｉｎＰ画像として現在設定されている画像領域の位置および、撮像画像のうちいずれの画像領域にＰｉｎＰ画像としての設定位置を変更させればよいかを、ユーザは把握しやすくなる。この実施例では、ＰｉｎＰ画像の設定位置の操作時によりわかりやすいようにワイド端に移動させたが、ワイド端でなくてもよい。ＰｉｎＰ画像が制御対象とされる直前まで表示されていたメイン画像の画角よりも少なくともワイド端側の画角にシフトさせた画像領域をメイン画像として更新するようにすれば、少なくとも効果を奏する。
【００４７】
リモートカメラ２００のコントローラ２１０は、メイン画像のズームポジションをワイド端へ移動する指示を受け取ると、画像処理部２４０に対して、メイン画像をワイド端にズームするように指示する。画像処理部２４０は、メイン画像の画像処理しているタイミングにおいて、ズームポジションがワイド端になるようズーム処理を行いメモリ２５０に画像を書き込み、ＨＤＭＩ２６０から出力を行う。表示装置３００は、ＨＤＭＩ３２０を介して、メイン画像のズームポジションがワイド端に移動した合成画像をリモートカメラ２００から取得する（Ｓ７２０）。そして、表示装置３００のコントローラ３１０は、リモートカメラ２００からＨＤＭＩ３１０経由で入力された合成画像を、液晶ディスプレイ３５０の表示上のカメラ画像表示領域５１０に表示する（Ｓ７３０）。これにより、ＰｉｎＰ画像が制御対象として制御しやすい合成画像が表示装置３００に表示された状態になる。
【００４８】
この状態において、表示装置３００のコントローラ３１０は、ズーム指示釦５２０や方向指示釦５３０が操作されたか否かを監視している（Ｓ７４０）。ズーム指示釦５２０が操作された場合（Ｓ７４０におけるＹｅｓ）、操作内容に従って、コントローラ３１０は、画像処理部２４０に対して、メイン画像に対してはズーム処理せず、ＰｉｎＰ画像のみをズーム処理するように指示する（Ｓ７５０）。画像処理部２４０ではＰｉｎＰ画像の画像処理をしている場合にのみデジタルズーム処理を行いメモリ２５０の出力画像領域２５０ｂに合成画像を書き込み、ＨＤＭＩ２６０から合成画像の出力を行う。方向指示釦５３０を操作された場合も同様に、コントローラ３１０は、画像処理部２４０に対して、撮像画像のいずれの画像領域にＰｉｎＰ画像の読み出し位置を変更するかを指示する。画像処理部２４０では、ＰｉｎＰ画像の画像処理をしている場合のみ撮像画像から画像の読み出し位置を変更を行いメモリ２５０に画像を書き込み、ＨＤＭＩ２６０から出力する。表示装置３００のコントローラ３１０はリモートカメラ２００からＨＤＭＩ３２０経由で出力された画像をカメラ画像表示領域５１０に表示する。
【００４９】
この状態において、表示装置３００のコントローラ３１０は、メイン画像が制御対象として選択されたか否かを監視している（Ｓ７６０）。表示装置３００のコントローラ３１０は、メイン画像が制御対象として再び選択されるまで、すなわちＰｉｎＰ画像が制御対象として選択されている間は、ステップＳ７３０からステップＳ７６０の動作を繰り返す。
【００５０】
メイン画像が制御対象として選択された場合（Ｓ７６０におけるＹｅｓ）、表示装置３００のコントローラ３１０は、メイン画像が再びステップＳ７００以前の画角に復帰させるようリモートカメラ２００に指示する。以上により、撮像画像が示す画像領域のうちいずれの画像領域をＰｉｎＰ画像とするかの設定が完了する。
【００５１】
図８は、制御対象選択５０４を操作したときの画面遷移イメージ図を表している。以下、図８（Ａ）から図８（Ｅ）を用いて、制御対象選択５４０を操作したときの画面遷移について説明する。
【００５２】
図８（Ａ）は、メイン画像８００が制御対象として選択されており、ＰｉｎＰ画像８１０の表示がＯＦＦに選択されているときのカメラ画像表示領域５１０の画面イメージ図である。このとき、ＰｉｎＰ画像８１０の表示がＯＦＦに選択されているため、カメラ画像表示領域５１０にはＰｉｎＰ画像８１０は表示されない。また、メイン画像８００が制御対象として選択されているため、ユーザは、ズーム指示釦５２０や方向指示釦５３０を操作することにより、撮像画像が示す画像領域のうち、いずれの画像領域をメイン画像とするかを設定することができる。
【００５３】
図８（Ｂ）は、図８（Ａ）からの画面遷移を示している。図８（Ｂ）は、メイン画像８００が制御対象として選択されたままであり、ＰｉｎＰ画像８１０の表示がＯＮに選択されたときの画面イメージ図である。このとき、ＰｉｎＰ画像８１０の表示がＯＮに選択されたため、カメラ画像表示領域５１０は、メイン画像８００にＰｉｎＰ画像８１０を重畳した合成画像を表示する。
【００５４】
図８（Ｃ）は、図８（Ｂ）からの画面遷移を示している。図８（Ｃ）は、ＰｉｎＰ画像８１０の表示がＯＮに選択されたままであり、ＰｉｎＰ画像８１０が制御対象として選択されたときの画面イメージ図である。このとき、ＰｉｎＰ画像８１０が制御対象に選択されたことに伴い、メイン画像８００が示す画像領域のうち、いずれの画像領域をＰｉｎＰ画像８１０として読み出しているかを示す点線枠８２０がメイン画像８００に重畳表示される。これにより、ユーザは、メイン画像８００が示す画像領域のうち、いずれの画像領域をＰｉｎＰ画像８１０として読み出しているかを把握することができる。また、ＰｉｎＰ画像８１０が制御対象に選択されたことに伴い、メイン画像８００が示す画像領域の画角（ズームポジション）が、広角端にシフトする。これにより、撮像画像のうちＰｉｎＰ画像として現在設定されている画像領域の位置および、撮像画像のうちいずれの画像領域にＰｉｎＰ画像としての設定位置を変更させればよいかを、ユーザは把握しやすくなる。
【００５５】
図８（Ｄ）は、図８（Ｃ）からの画面遷移を示している。図８（Ｄ）は、ＰｉｎＰ画像８１０の表示がＯＮに選択されたままであり、ＰｉｎＰ画像８１０が制御対象として選択されたままであるが、ＰｉｎＰ読み出し位置を示す点線枠８２０が、方向指示釦５３０の操作により移動したときの画面イメージ図である。このとき、ＰｉｎＰ読み出し位置を示す点線枠８２０の位置の移動に伴って、ＰｉｎＰ画像８１０の内容が変化する。これにより、ユーザは、ＰｉｎＰ読み出し位置を移動させながら、ＰｉｎＰ画像８１０の内容がどう変更されるかを把握しやすくなる。また、このとき、ＰｉｎＰ画像８１０が制御対象として選択されたままであるので、メイン画像８００が示す画像領域の画角（ズームポジション）は、広角端に維持されたままとなる。これにより、撮像画像のうちいずれの画像領域にＰｉｎＰ画像としての設定位置を変更させればよいか把握しながら、ユーザはＰｉｎＰ読み出し位置を移動させることができる。
【００５６】
図８（Ｅ）は、図８（Ｄ）からの画面遷移を示している。図８（Ｅ）は、ＰｉｎＰ画像８１０の表示はＯＮに選択されたままであるが、制御対象がＰｉｎＰ画像８１０からメイン画像８００に変更されたときの画面イメージ図である。制御対象がＰｉｎＰ画像８１０からメイン画像８００に変更されたことに伴い、ＰｉｎＰ読み出し位置の枠表示８２０が表示されなくなる。また、制御対象がＰｉｎＰ画像８１０からメイン画像８００に変更されたことに伴い、ＰｉｎＰ読み出し位置の設定操作が完了したとみなし、メイン画像８００が示す画像領域の画角（ズームポジション）を、制御対象がＰｉｎＰ画像８１０に選択された直前の画角（ズームポジション）に復帰させる。以上により、撮像画像が示す画像領域のうちいずれの画像領域をＰｉｎＰ画像とするかの設定が完了する。
【００５７】
図９は、ＨＤＭＩ出力時の出力アスペクトの切り替えの動作フローチャートである。図９を用いて、ＨＤＭＩ出力時の出力アスペクトの切り替えの動作について説明する。
【００５８】
リモートカメラのコントローラ２１０は、メイン画面の出力アスペクトに変更があるか否かを監視している（Ｓ９００）。ユーザがリモートカメラ２００のメニュー操作により、ＨＤＭＩ出力時の出力アスペクトの切り替えを行う。リモートカメラ２００の出力アスペクトに変更があった場合（Ｓ９００におけるＹｅｓ）、リモートカメラ２００のコントローラ２１０は、画像処理部２４０に対して、メイン画像が示す画像領域のうちＰｉｎＰ画像を重畳させる位置を内側に移動するように指示を行う（Ｓ９１０）。例えば、１６：９の出力アスペクトの設定時であって、ＰｉｎＰ画像をメイン画像が示す画像領域の右上端に表示している場合に、出力アスペクトが４：３サイドカットに変更された場合を想定する。このとき、４：３サイドカットによりメイン画像に重畳されたＰｉｎＰ画像が表示されなくなるのを防ぐために、ＰｉｎＰ画像の位置を少なくともサイドカットの幅の分だけ内側に移動させる。画像処理部２４０は、ＰｉｎＰ画像を画像処理しているタイミングにおいて、メモリ２５０の出力画像領域２５０ｂにＰｉｎＰ画像をメイン画像に重畳して書き込むときに、ＰｉｎＰ画像の書き込み位置を、少なくともサイドカットにより表示されなくなるのを回避できる幅の分だけ画面中心側にずらして書き込みを行う。リモートカメラ２００のコントローラ２１０はメモリ２５０の出力画像領域２５０ｂからメイン画像と、画面内側にずらして書き込まれたＰｉｎＰ画像の合成画像を読み出し、画面左右にサイドブラックをつけてＨＤＭＩ２６０から出力を行う。表示装置３００のコントローラ３１０は、画面左右にサイドブラックが付けられた合成画像をＨＤＭＩ３２０を介して取得する（Ｓ９２０）。そして、表示装置３００のコントローラ３１０は、リモートカメラ２００からＨＤＭＩ３２０経由で入力した合成画像を、液晶ディスプレイ３５０の表示上においてカメラ画像表示領域５１０
に表示する（Ｓ９３０）。以上により、ＨＤＭＩ出力時の出力アスペクトの切り替えの動作を終える。
【００５９】
図１０は、出力アスペクト切り替え時の画面遷移の画面イメージを表す。図１０（Ａ）は、出力アスペクトが１６：９に設定されているときの画面イメージ図である。一方、図１０（Ｂ）は、図１０（Ａ）の状態から出力アスペクトが４：３サイドカットに設定変更されたときの画面イメージ図である。図１０（Ｂ）に示すように、出力アスペクトが４：３サイドカットに設定変更されても、メイン画像が示す画像領域のうちＰｉｎＰ画像を重畳させる画像領域をサイドカットに重ならないように移動させる。これにより、ＰｉｎＰ画像の書き込み位置を、サイドカットにより表示されなくなるのを回避することができる。
【００６０】
上記の例では、出力アスペクトが４：３サイドカットに設定変更された場合を説明したが、サイドカットに限らず上下カットでもよい。この場合は、出力アスペクトの設定変更に伴い、メイン画像が示す画像領域のうちＰｉｎＰ画像を重畳させる画像領域が上下カットに重ならないように移動させる。また上記では、出力アスペクトの切り替え操作をリモートカメラ２００にて行なうようにしたが、表示装置３００から出力アスペクトの切り替えを指示するように構成してもよい。
【００６１】
以上のように、表示装置３００は、メイン画面を制御対象にするモードに設定されているときは、所定の画角の画像を液晶ディスプレイ３５０に表示するよう制御する一方、ＰｉｎＰ画面を制御対象にするモードに設定されているときは、広角端の画角の画像を液晶ディスプレイ３５０に表示するよう制御するコントローラ３１０を備える。これにより、撮像画像のうちＰｉｎＰ画像として現在設定されている画像領域の位置および、撮像画像のうちいずれの画像領域にＰｉｎＰ画像としての設定位置を変更させればよいかを、ユーザは把握しやすくなる。
【００６２】
また、表示装置３００は、撮像画像が示す画像領域のうち、所定の画像領域をＰｉｎＰ画像として設定し、撮像画像が示す画像領域より狭い範囲の画像領域をメイン画像として設定するコントローラ３１０を備える。そして、コントローラ３１０は、設定されたメイン画像に、設定されたＰｉｎＰ画像を重畳させた合成画像を液晶ディスプレイ３５０に表示するよう制御する。これにより、撮像画像が示す画像領域のうち、液晶ディスプレイ３５０に表示されたメイン画像が示す画像領域の外側の画像領域を、ＰｉｎＰ画像とする画像領域として設定させることができる。
【００６３】
また、表示装置３００は、メイン画像と、ＰｉｎＰ画像とを取得し、取得されたメイン画像のうち、液晶ディスプレイ３５０への表示領域とする画像領域のアスペクトに応じて、取得されたＰｉｎＰ画像をメイン画像に重畳させる位置を決定し、当該決定した位置に基づいてメイン画像にＰｉｎＰ画像を重畳させた合成画像を液晶ディスプレイ３５０に表示するコントローラ３１０を備える。これにより、ＰｉｎＰ画像の書き込み位置を、出力アスペクトの設定変更により表示されなくなるのを回避することができる。
【産業上の利用可能性】
【００６４】
本発明は、テレビ会議システムへの適用に限定されない。ＰｉｎＰ表示を行なう表示制御装置、表示制御システムに本発明は適用可能である。
【符号の説明】
【００６５】
１００…テレビ会議システム
１１０…ＨＤＭＩケーブル
２００…リモートカメラ
２１０…コントローラ
２２０…レンズ
２３０…ＣＭＯＳイメージセンサ
２４０…画像処理部
２５０…メモリ
２６０…ＨＤＭＩ
２７０…赤外線受光部
３００…表示装置
３１０…コントローラ
３２０…ＨＤＭＩ
３３０…画像処理部
３４０…メモリ
３５０…液晶ディスプレイ
３６０…操作部
４００…赤外線リモコン
４１０…操作部
４２０…コントローラ
４３０…赤外線送信部
【図１】
2014016507.tif 000003
【図２】
2014016507.tif 000004
【図３】
2014016507.tif 000005
【図４】
2014016507.tif 000006
【図５】
2014016507.tif 000007
【図６】
2014016507.tif 000008
【図７】
2014016507.tif 000009
【図８】
2014016507.tif 000010
【図９】
2014016507.tif 000011
【図１０】
2014016507.tif 000012
【図１１】
2014016507.tif 000013